【手続補正書】
【提出日】平成22年10月4日(2010.10.4)
【手続補正１】
【補正対象書類名】特許請求の範囲
【補正対象項目名】全文
【補正方法】変更
【補正の内容】
【特許請求の範囲】
【請求項１】
移動体上に設けられる移動体上システムと、前記移動体上システムと通信ネットワークを介して接続され、地上に設けられる地上システムとの間で互いに情報を共有するコンテンツ同期システムにおいて、
前記地上システムは、
前記移動体上システムに提供する情報を管理する地上サービスアプリケーションと、
当該地上システムおよび前記移動体上システムの情報を備え、当該地上システムと前記移動体上システムとの間で当該情報を同期する地上連携サーバと、
前記移動体上システムとの間で当該地上システムおよび前記移動体上システムの情報の送受信を行う無線基地局と、
前記地上サービスアプリケーション、前記地上連携サーバ、および前記無線基地局を接続する通信ネットワークと、を備え、
前記移動体上システムは、
当該移動体上システムの機能を提供する情報を管理する移動体上サービスアプリケーションと、
当該移動体上システムおよび前記地上システムの情報を備え、当該移動体上システムと前記地上システムとの間で当該情報を同期する移動体上連携サーバと、
前記地上システムとの間で前記地上システムおよび当該移動体上システムの情報の送受信を行う無線通信装置と、を備え、
前記地上システムおよび前記移動体上システムの情報は、
前記地上システムおよび前記移動体上システムの情報本体を示すデータと、
前記データが更新されたか否かを示す更新データ識別子と、を備え、
前記地上連携サーバおよび前記移動体上連携サーバは、前記地上サービスアプリケーションおよび前記移動体上サービスアプリケーションの要求に応じて、または所定の周期で前記更新データ識別子を互いに送受信し、当該更新データ識別子に基づいて前記地上システムおよび前記移動体上システムの情報を同期する、コンテンツ同期システム。
【請求項２】
前記地上連携サーバおよび前記移動体上連携サーバは、
前記更新データ識別子を所定の周期で送信する際に、当該データ識別子に対応するデータ種別や優先度に応じて、当該更新データ識別子に対応する前記データを同時に送信する、請求項１に記載のコンテンツ同期システム。
【請求項３】
前記地上連携サーバおよび前記移動体上連携サーバは、
前記地上サービスアプリケーションおよび前記移動体上サービスアプリケーションから指定された前記データ、またはあらかじめ定義された前記データを周期的に監視し、監視している当該データに変更が生じた場合に、当該データの送信を要求する、請求項１に記載のコンテンツ同期システム。
【請求項４】
前記地上連携サーバおよび前記移動体上連携サーバは、
更新データ識別子を受信する毎にインクリメントする同期回数情報をさらに備え、
当該同期回数情報が所定の回数以上になった場合に、前記地上システムおよび前記移動体上システムの前記データの取得を要求する、請求項１に記載のコンテンツ同期システム。
【請求項５】
前記地上システムおよび前記移動体上システムの情報は、
前記更新データ識別子の同期は完了したが当該更新データ識別子に対応する前記データの同期が未完了を示す非同期データ識別子をさらに備え、
前記地上連携サーバおよび前記移動体上連携サーバは、
互いに送受信する前記更新データ識別子に応じて前記非同期データ識別子を登録し、当該非同期データ識別子に対応する前記データの同期が完了した場合に当該非同期データ識別子を削除する、請求項１に記載のコンテンツ同期システム。
【請求項６】
前記地上連携サーバは、
前記地上システムおよび前記移動体上システムのデータ、前記地上システムの情報の更新データ識別子と前記移動体上システムの情報の非同期データ識別子で構成される第１のインデックス、前記移動体上システムの情報の更新データ識別子と前記地上システムの情報の非同期データ識別子で構成される第２のインデックス、を有する第１の情報格納手段と、
所定の周期で前記第１のインデックスを前記移動体上システムに送信する第１の同期通信制御手段と、
前記地上サービスアプリケーションとのインタフェースを提供する地上サービスアプリアクセス手段と、
前記移動体上システムとの通信制御を行う第１の通信プロトコル処理手段と、
前記無線基地局の対応している通信メディアの管理、および通信品質の管理を行う第１の通信メディア制御手段と、を備え、
前記移動体上連携サーバは、
前記地上システムおよび前記移動体上システムのデータ、前記地上システムの情報の更新データ識別子と前記移動体上システムの情報の非同期データ識別子で構成される第３のインデックス、前記移動体上システムの情報の更新データ識別子と前記地上システムの情報の非同期データ識別子で構成される第４のインデックス、を有する第２の情報格納手段と、
前記第１の同期通信制御手段から送信された第１のインデックスを受信したことを契機に、前記第３および第４のインデックスを更新し、当該第４のインデックスを前記地上システムに送信する第２の同期通信制御手段と、
前記移動体上サービスアプリケーションとのインタフェースを提供する移動体上サービスアプリアクセス手段と、
前記地上システムとの通信制御を行う第２の通信プロトコル処理手段と、
前記無線通信装置の対応している通信メディアの管理、および通信品質の管理を行う第２の通信メディア制御手段と、を備え、
前記第１の同期通信制御手段は、前記第４のインデックスを受信したことを契機に、前記第１および第２のインデックスを更新する、請求項５に記載のコンテンツ同期システム。
【請求項７】
前記第１および第２の同期通信制御手段は、
前記同期回数情報を前記更新データ識別子および前記非同期データ識別子と同時に送信し、受信した前記同期回数情報が所定回数以上である場合に、前記地上システムおよび前記移動体上システムの前記データを送信する、請求項６に記載のコンテンツ同期システム。
【請求項８】
前記移動体上システムは、地上を走行する列車、電車および自動車などの編成番号、位置、速度、走行予測、乗務員情報および故障情報などの車上情報を管理する車上システムであり、
前記地上システムは、前記車上情報を管理したり、車上システムに提供する進行経路を示すダイヤ、進路開通予測、周辺列車位置および運行情報などの地上情報を管理する地上システムである、請求項１から７のいずれか１項に記載のコンテンツ同期システム。
【請求項９】
地上に設けられ、移動体上に設けられる移動体上システムと通信ネットワークを介して接続される地上システムに備えられ、
当該地上システムおよび前記移動体上システムの情報を備え、要求に応じてまたは所定の周期で前記地上システムの情報を送信するとともに、前記移動体上システムの情報を受信することで前記移動体上システムとの間で当該情報を同期する地上連携サーバ装置。
【請求項１０】
移動体上に設けられ、地上に設けられる地上システムと通信ネットワークを介して接続される移動体上システムに備えられ、
当該移動体上システムおよび前記地上システムの情報を備え、要求に応じてまたは所定の周期で前記移動体上システムの情報を送信するとともに、前記地上システムの情報を受信することで前記地上システムとの間で当該情報を同期する移動体上連携サーバ装置。
【手続補正２】
【補正対象書類名】明細書
【補正対象項目名】０００９
【補正方法】変更
【補正の内容】
【０００９】
本発明におけるコンテンツ同期システムは、移動体上に設けられて情報処理を行う移動体上システムと、前記移動体上システムと通信ネットワークを介して接続され、地上に設けられて情報処理を行う地上システムとの間で互いに情報を共有するコンテンツ同期システムである。前記地上システムは、前記移動体上システムに提供する情報を管理する地上サービスアプリケーションと、当該地上システムおよび前記移動体上システムの情報を備え、当該地上システムと前記移動体上システムとの間で当該情報を同期する地上連携サーバと、前記移動体上システムとの間で当該地上システムおよび前記移動体上システムの情報の送受信を行う無線基地局と、前記地上サービスアプリケーション、前記地上連携サーバ、および前記無線基地局を接続する通信ネットワークと、を備える。前記移動体上システムは、当該移動体上システムの機能を提供する情報を管理する移動体上サービスアプリケーションと、当該移動体上システムおよび前記地上システムの情報を備え、当該移動体上システムと前記地上システムとの間で当該情報を同期する移動体上連携サーバと、前記地上システムとの間で前記地上システムおよび当該移動体上システムの情報の送受信を行う無線通信装置と、を備える。前記地上システムおよび前記移動体上システムの情報は、前記地上システムおよび前記移動体上システムの情報本体を示すデータと、前記データが更新されたか否かを示す更新データ識別子とを備える。前記地上連携サーバおよび前記移動体上連携サーバは、前記地上サービスアプリケーションおよび前記移動体上サービスアプリケーションの要求に応じて、または所定の周期で前記更新データ識別子を互いに送受信し、当該更新データ識別子に基づいて前記地上システムおよび前記移動体上システムの情報を同期する。